(57)【要約】【課題】回転式のスイッチにおいて回転トルクの変動が少ないスイッチ操作装置を提供する。【解決手段】取付ナット１７（固定部材）によって取付板６（取付部材）に取付固定されるスイッチ１と、このスイッチ１の回動軸４の先端側に装着される操作ツマミ１３（操作部材）と、取付ナット１７の円筒部２１に装着され回動軸４が嵌入されるグロメット１８とを備える。【選択図】　図１
2004039277.tif 000002
【特許請求の範囲】
【請求項１】
固定部材によって取付部材に取付固定されるスイッチと、このスイッチの回動軸の先端側に装着される操作部材と、前記固定部材に装着され前記回動軸が嵌入されるグロメットとを備えたことを特徴とするスイッチ操作装置。
【請求項２】
前記固定部材が前記スイッチの取付ネジ部と螺合するナット部と前記回動軸を取り巻く円筒部を有し、この円筒部内に前記グロメットが装着されていることを特徴とする請求項１に記載のスイッチ操作装置。
【発明の詳細な説明】
【０００１】
【発明の属する技術分野】
本発明は、回転式のスイッチを備えたスイッチ操作装置に関するものである。
【０００２】
【従来の技術】
図３に従来例を示す。可変抵抗器やロータリースイッチ等の回転式のスイッチ１は、スイッチ本体２と取付ネジ部３と回動軸４と端子５を備えており、取付板６の背面側にスイッチ本体２が配置され、取付板６に設けられた取付孔７を貫通して取付ネジ部３と回動軸４が前方に延びている。そして、取付板６の前面側から取付ネジ部３にナット８をねじ締めすることにより、スイッチ１が取付板６に固定されている。９は平座金である。なお、図示しないが端子５にはリード線が接続され、電気的な導通がされている。
【０００３】
スイッチ１が取付固定された取付板６はケース１０内に収納され、ケース１０の前面部１１に設けてある貫通穴１２から回動軸４の先端側がケース５の外部に突出している。この回動軸４の先端側には回動軸４を回動操作する操作ツマミ１３が装着されている。１４はケース１０の前面部１１上に配設された表示板であり、図示しないが回動軸４の回動操作に対応した表示が表面側に施してある。
【０００４】
また、回動軸４が挿通された貫通穴１２の隙間部分は埃や水などの浸入を防ぐためにゴム製のパッキン１５によって塞がれている。断面コの字状のパッキン１５は予め前面部１１および表示板１４の貫通穴１２周囲に装着しておき、スイッチ１が固定された取付板６をケース１０内に収納した際に、回動軸４がパッキン１５に設けられた丸孔１６に挿通されるようになっている。この様に構成された回転式スイッチ１（回動軸４）の回転トルクは、スイッチ１自体のトルクに、回動軸４とパッキン１５との間に生じる摩擦力とを加えたものとなる。
【０００５】
【発明が解決しようとする課題】
しかしながら、スイッチ１は様々な機器に使われるため、スイッチ１自体の回転トルクが低めに設定してある。この様なスイッチを用いて回転トルクをアップさせたい場合には、回動軸４周囲に装着した防水用のパッキン１５の丸孔１６径を適宜な径に設定するが、スイッチ１が取り付けられる取付板６とパッキン１５が装着されるケース１０とが別部材のため、回動軸４の軸心とパッキン１５の丸孔１６の中心とが位置ズレすることがある。すると、位置ズレした側の回動軸４の側面にパッキン１５の丸孔１６箇所がより強く接触し、回動が重くなったり回転トルクが製品毎に変動することがある。また、位置ズレが起こると回動軸４とパッキン１５との隙間から水が回動軸４を伝ってスイッチ本体２内に入る可能性がある。
【０００６】
本発明はこの様な点に鑑みなされたもので、回転式のスイッチにおいて回転トルクの変動が少ないスイッチ操作装置を提供することを目的とする。
【０００７】
【課題を解決するための手段】
本発明は前記課題を解決するため、固定部材によって取付部材に取付固定されるスイッチと、このスイッチの回動軸の先端側に装着される操作部材と、前記固定部材に装着され前記回動軸が嵌入されるグロメットとを備えたものである。
【０００８】
また、前記固定部材が前記スイッチの取付ネジ部と螺合するナット部と前記回動軸を取り巻く円筒部を有し、この円筒部内に前記グロメットが装着されているものである。
【０００９】
【発明の実施の形態】
図１は本発明の第１実施形態を示すスイッチ操作装置の要部断面図である。本実施形態におけるスイッチ操作装置は、金属製の回動軸４を有する回転式のスイッチ１と、スイッチ１が取付固定される取付板６と、この取付板６にスイッチ１を固定する固定部材としての取付ナット１７と、取付ナット１７に装着されたグロメット１８と、取付板６に固定されたスイッチ１が収納され貫通穴１２を有するケース１０と、貫通穴１２の隙間部分を塞ぐパッキン１５と、回動軸４の先端側に装着され回動軸４を回動操作する操作部材としての合成樹脂製の操作ツマミ１３と、ケース１０の前面部１１上に配設されスイッチ１の回動操作に対応した表示が施された表示板１４を備えている。
【００１０】
スイッチ１は回動軸４の他に、スイッチ本体２と取付ネジ部３と端子５を備えている。回動軸４は円柱状であるが、先端側には平面部１９が設けてある。なお、図示しないが端子５にはリード線が接続され、電気的な導通がされる。このスイッチ１は取付板６に取付ナット１７を用いて締め付け固定される。すなわち、取付孔７が設けられた取付板６の背面側から回動軸４と取付ネジ部３を挿通させ、取付ナット１７を取付ネジ部３にねじ締めする。９は平座金である。
【００１１】
本実施形態における取付ナット１７は、六角ナットと円筒を一体化したような形状となっており、取付板６側が六角ナット状（六角ナット部２０）で、内側に取付ネジ部３に螺合する雌ねじが形成してある。前方（回動軸４側）は略円筒形（円筒部２１）で、その内径は回動軸４の径より径大になっており、円筒部２１との間に空間を有する。
【００１２】
取付ナット１７に設けられた空間には環状のグロメット１８が装着してある。弾性を有するゴムからなるグロメット１８は回動軸４を取り巻くよう軸方向に伸びる円筒部２１に接着されるか、あるいは円筒部２１との間で位置決めされてグロメット１８が回動軸４とともに回らないようになっている。また、回動軸４が通るグロメット１８の孔の内径は回動軸４の径より僅かに小さくしてある。
【００１３】
ケース１０は前面部１１と、周壁２２と、前面部１１の背面側に形成され取付板６を取付固定するための取付ボス２３を有している。また、スイッチ１に対応した前面部１１箇所には回動軸４が挿通される貫通穴１２が設けてある。スイッチ１が取付固定された取付板６は取付ボス２３にビス２４によって締め付け固定される。
【００１４】
また、ケース１０の貫通穴１２にはパッキン１５が装着されている。このパッキン１５は回動軸４とケース１０の前面部１１との間の貫通穴１２の隙間部分を塞ぐために貫通穴１２周囲の前面部１１に装着されるものであり、断面略コの字状の挟持部２５で以て貫通穴１２周囲の前面部１１および表示板１４箇所を挟み込んでいる。このパッキン１５の丸孔１６部分の厚みはグロメット１８の厚みより薄く（回動軸４との接触面積が少なく）なっている。また、回動軸４の軸心とパッキン１５の丸孔１６の中心とが位置ズレすることがあったとしても、回動軸４に丸孔１６箇所が添うように柔軟性を持った形状としてある（回動軸４と丸孔１６箇所との間に隙間が生じにくいようになっている）。
【００１５】
操作ツマミ１３には、回動軸４の先端側が挿入される略円筒状の軸部２６を備えているが、本実施形態における軸部２６は金属製であり、操作ツマミ１３にインサート成形されている。また、軸部２６には雌ねじが設けてある。そして、操作ツマミ１３を回動軸４に装着するには、固定ねじ２７を用いて雌ねじ部にねじ締めすると、固定ねじ２７の先端が回動軸４の平面部１９に当接して回動軸４に操作ツマミ１３が固定される。２８は工具挿入孔であり、ドライバー等の工具を差し込んで固定ねじ２７の締め付けや取り外しを行うものである。
【００１６】
この様に構成されたスイッチ操作装置において、スイッチ１の回動操作は操作ツマミ１３を回すことによって行われるが、スイッチ１を取付板６に取付固定するための取付ナット１７の円筒部２１と回動軸４との間にグロメット１８が装着してあり、このグロメット１８の内径が回動軸４の径より僅かに小さくしてある。つまり、グロメット１８内に回動軸４が嵌入される状態となっているため、回動軸４とグロメット１８との間に摩擦力が生じて、スイッチ１（回動軸４）の回転トルクは、スイッチ１単品のトルクに比べてアップする。
【００１７】
また、回動軸４の軸心とパッキン１５の丸孔１６の中心とが位置ズレすることがあったとしても、回動軸４に丸孔１６箇所が添うように柔軟性を持った形状としてあるため、この部分での摩擦力はごく僅かであり、回動軸４の回転トルクの変動（アップ）はごく少ない。この様に、スイッチ１の回転トルクをアップさせるためのグロメット１８の装着箇所が、スイッチ１取付固定用の取付ナット１７内の回動軸４周囲である（従来例の如く、スイッチ１の取付箇所と離れたケース１０の前面部１１箇所ではない）ため、位置ズレに左右されることなく回転トルクの変動を抑えることができる。
【００１８】
また、前述した様に回動軸４とパッキン１５の丸孔１６箇所との間に隙間が生じにくいようになっているため、この箇所からの水の浸入は殆ど無いと考えられるが、仮に水が回動軸４を伝って入ったとしてもグロメット１８があることにより、スイッチ本体２内まで入ることはない。また、グロメット１８の装着箇所が取付ナット１７の円筒部２１内であるため、構造を複雑にすることなく回転トルクのアップを図るとともに、回転トルクの変動を抑えることができる。また、六角ナット部２０と円筒部２１とが一体となった取付ナット１７のため、この取付ナット１７を締め付けるのみでスイッチ１を取付固定でき、組み付け性も容易である。
【００１９】
図２は、本発明の第２実施形態を示すスイッチ操作装置の要部断面図である。前記第１実施形態と同一もしくは相当箇所には同一符号を付し、その詳細説明は省略する。なお、本実施形態ではケース１０を取付部材とし、取付ナット１７を用いてケース１０に直接スイッチ１を取付固定したものである。
【００２０】
スイッチ１はケース１０に取付ナット１７を用いて締め付け固定される。すなわち、取付孔７が設けられたケース１０の背面側から回動軸４と取付ネジ部３を挿通させ、取付ナット１７を取付ネジ部３にねじ締めする。この取付ナット１７の形状は前記第１実施形態と同一である。そして、取付ナット１７の円筒部２１内にはグロメット１８が装着してある。また、回動軸４の先端側は、操作ツマミ１３を回した際に回動軸４と操作ツマミ１３との間で操作ツマミ１３が空転しない様、断面がＤの字状（Ｄの字部４Ａ）としてある。そして、操作ツマミ１３の軸部２６の内径がＤの字部４Ａの形状と一致するようにしてある。
【００２１】
この様に構成されたスイッチ操作装置において、スイッチ１の回動操作は操作ツマミ１３を回すことによって行われるが、スイッチ１をケース１０に取付固定するための取付ナット１７の円筒部２１と回動軸４との間にグロメット１８が装着してあるため、前記第１実施形態と同様に、回動軸４とグロメット１８との間に摩擦力が生じて、スイッチ１（回動軸４）の回転トルクは、スイッチ１単品のトルクに比べてアップする。
【００２２】
また、取付ナット１７を用いてケース１０に直接スイッチ１を取付固定するようにしたため、前記第１実施形態で用いた取付板６が不要で構造が単純となる。さらに、パッキン１５も不要のため位置ズレ云々が無く、回転トルクの変動も殆どない。
【００２３】
なお、回動軸４の先端側に操作ツマミ１３を装着する際、前記第１実施形態では金属製の軸部２６を用い、前記第２実施形態では用いなかったが、いずれの方法であっても良い。あるいは任意の装着方法でも良い。
【００２４】
【発明の効果】
以上詳述したように、本発明によれば、回転式のスイッチにおいて回転トルクの変動が少ないスイッチ操作装置を提供することができる。
【図面の簡単な説明】
【図１】本発明の第１実施形態を示すスイッチ操作装置の要部断面図。
【図２】本発明の第２実施形態を示すスイッチ操作装置の要部断面図。
【図３】従来例を示すスイッチ操作装置の要部断面図。
【符号の説明】
１　スイッチ
４　回動軸
６　取付板（取付部材）
７　貫通穴
１０　ケース
１３　操作ツマミ（操作部材）
１５　パッキン
１７　取付ナット（固定部材）
１８　グロメット
２０　六角ナット部（ナット部）
２１　円筒部
【図１】
2004039277.tif 000003
【図２】
2004039277.tif 000004
【図３】
2004039277.tif 000005